(57)【特許請求の範囲】
【請求項１】
水路に設置される粗目スクリーンと、
この粗目スクリーンの下流側に粗目スクリーンと平行に設置される細目スクリーンと、
上方に向かう移動路が側面視して粗目スクリーンと細目スクリーンとの間に位置するチェーンと、
前記チェーンに取り付けられ、粗目スクリーンのし渣を裏面側から掻き揚げる粗目スクリーン用レーキおよび細目スクリーンのし渣を表面側から掻き揚げる細目スクリーン用レーキと、
を備え、
前記粗目スクリーンの上端は前記細目スクリーンの上端よりも上方に延設され、
前記粗目スクリーンで捕捉されたし渣と前記細目スクリーンで捕捉されたし渣とが互いに分離した状態で、前記粗目スクリーン用レーキおよび細目スクリーン用レーキにより各上端まで掻き揚げられて排出されるし渣排出口を備えたことを特徴とする除塵機。
【請求項２】
前記粗目スクリーン用レーキおよび細目スクリーン用レーキは一体の部材として成形されていることを特徴とする請求項１に記載の除塵機。
【請求項３】
前記粗目スクリーンの上端は下流側に向けて円弧状に屈曲形成され、
前記粗目スクリーンの上端において前記粗目スクリーン用レーキの歯が途中から下方に抜けるように構成されていることを特徴とする請求項１または請求項２に記載の除塵機。
【発明の詳細な説明】
【技術分野】
【０００１】
本発明は、下水処理施設等に設置され、水路中の塵（以降、し渣という）を除去する除塵機に関するものである。
【背景技術】
【０００２】
水路中には大小さまざまなし渣が流れるため、大きなし渣については間隔の大きい粗目スクリーンにより、小さなし渣については間隔の小さい細目スクリーンにより捕捉して除去する除塵機が従来より知られている（例えば特許文献１参照）。
【０００３】
特許文献１において、第１図および第２図には粗目スクリーンと細目スクリーンとを水流方向に間隔を空けて設置した技術が記載され、第３図および第４図には粗目スクリーンと細目スクリーンとを水流方向に重なり代を有するように設置した技術が記載されている。各スクリーン上のし渣を掻き揚げるレーキは、いずれの技術においてもスクリーンを上流側の面（表面）から掻き揚げる構造である。
【先行技術文献】
【特許文献】
【０００４】
【特許文献１】実開昭５４−１８１７２９号公報
【発明の概要】
【発明が解決しようとする課題】
【０００５】
特許文献１に記載の技術のように、レーキによりし渣を粗目スクリーンの表面側から掻き揚げる構造では、し渣がレーキにからまりやすいという問題がある。下水路では、粗目スクリーンに布状、紐状の柔軟な形状のし渣が捕捉されることが多く、これらのし渣を粗目スクリーンの表面側から掻き揚げると、し渣がレーキ全体にからまりやすくなる。布状、紐状のし渣が一旦レーキにからまると、これらは容易にはレーキから外れない。
【０００６】
本発明は、このような問題を解決するために創作されたものであり、粗目スクリーンおよび細目スクリーンを備えた除塵機において、レーキに対するし渣のからまりの低減を図ることを目的としている。
【課題を解決するための手段】
【０００７】
本発明に係る除塵機は、前記課題を解決するため、水路に設置される粗目スクリーンと、この粗目スクリーンの下流側に粗目スクリーンと平行に設置される細目スクリーンと、上方に向かう移動路が側面視して粗目スクリーンと細目スクリーンとの間に位置するチェーンと、前記チェーンに取り付けられ、粗目スクリーンのし渣を裏面側から掻き揚げる粗目スクリーン用レーキおよび細目スクリーンのし渣を表面側から掻き揚げる細目スクリーン用レーキと、を備え、前記粗目スクリーンの上端は前記細目スクリーンの上端よりも上方に延設され、前記粗目スクリーンで捕捉されたし渣と前記細目スクリーンで捕捉されたし渣とが互いに分離した状態で、前記粗目スクリーン用レーキおよび細目スクリーン用レーキにより各上端まで掻き揚げられて排出されるし渣排出口を備えたことを特徴とする。
【０００８】
当該除塵機によれば、
（１）粗目スクリーンの表面に捕捉されたし渣を粗目スクリーン用レーキによって粗目スクリーンの裏面側から掻き揚げることにより、し渣は粗目スクリーンの表面から部分的に突出した粗目スクリーン用レーキの歯の先端周りのみによって掻き揚げられることになり、粗目スクリーン用レーキ全体に対する布状、紐状のし渣のからまりが回避される。
（２）粗目スクリーン用レーキおよび細目スクリーン用レーキを１つのチェーンに配することができるため、各レーキ用にチェーンの駆動機構を複数設ける必要がなく、経済的な除塵機となる。
等の効果が奏される。
【０００９】
また、本発明に係る除塵機は、前記粗目スクリーン用レーキおよび細目スクリーン用レーキが一体の部材として成形されていることを特徴とする。
【００１０】
当該除塵機によれば、部材点数の低減が図れ、組み付け性に優れた除塵機となる。
また、本発明は、前記粗目スクリーンの上端は下流側に向けて円弧状に屈曲形成され、前記粗目スクリーンの上端において前記粗目スクリーン用レーキの歯が途中から下方に抜けるように構成されていることを特徴とする。
【発明の効果】
【００１１】
本発明によれば、粗目スクリーンおよび細目スクリーンを備えた除塵機において、レーキに対するし渣のからまりの低減が図れる。
【図面の簡単な説明】
【００１２】
【図１】本発明に係る除塵機の側面図である。
【図２】本発明に係る除塵機の上流側から見た正面図である。
【図３】図１におけるＡ−Ａ断面図である。
【図４】粗目スクリーンの上端周りの側面図である。
【図５】本発明に係る除塵機の変形例の側面図である。
【発明を実施するための形態】
【００１３】
図１および図２において、除塵機１は、矩形断面を呈する水路に設置される粗目スクリーン２および細目スクリーン３を備える。粗目スクリーン２は、複数の縦引きのスクリーンバー２Ａを水路幅方向に粗目の間隔で並設した構成からなる。細目スクリーン３は、複数の縦引きのスクリーンバー３Ａを水路幅方向に細目の間隔で並設した構成からなり、粗目スクリーン２の下流側において粗目スクリーン２と近接して平行に設置される。なお、以降、粗目スクリーン２および細目スクリーン３の上流側の面を表面、下流側の面を裏面というものとする。
【００１４】
水路の天井には開口部４が設けられ、粗目スクリーン２および細目スクリーン３の各上部側は開口部４を貫通して天井上の区画まで延設されている。天井上の区画では、粗目スクリーン２、細目スクリーン３、後記する駆動スプロケット８等はケーシング５により四方が覆われる。ケーシング５の側板部は水路の底部まで延設される。
【００１５】
粗目スクリーン２の下端は水路の底部から距離を空けて位置し、かつ上流側に向けて円弧状に屈曲形成されている。粗目スクリーン２の上端は細目スクリーン３の上端よりも上方に延びたうえで下流側に向けて円弧状に屈曲形成され、頂上部２Ｂは略水平状に形成されている。粗目スクリーン２の各スクリーンバー２Ａの下端および上端は、水路幅方向に延設する連結バー６により互いに連結される。連結バー６の両端はケーシング５の側板部に固定されている。
【００１６】
一方、細目スクリーン３は、その下端の表面がチェーン１０の円弧軌跡に合わせて円弧状に形成されている点を除けば上端から下端まで直線状に形成されている。細目スクリーン３の下端はほぼ水路の底部に位置する。細目スクリーン３の各スクリーンバー３Ａの下端、上端および中間部は、水路幅方向に延設する連結バー７により互いに連結される。連結バー６と同様に、連結バー７の両端もケーシング５の側板部に固定されている。
【００１７】
天井上の区画に配置された駆動スプロケット８と水路の底部に設置された従動スプロケット９との間には無端のチェーン１０が掛け回されている。駆動スプロケット８および従動スプロケット９はそれぞれ水路幅方向に間隔を空けて一対設けられる。図１に示すように、側面視において、駆動スプロケット８は粗目スクリーン２の上端の後方（水路の下流側）に配置され、従動スプロケット９は細目スクリーン３の下端の前方、かつ粗目スクリーン２の下端の下方に配置される。チェーン１０は図１における反時計回りに循環移動し、従動スプロケット９から駆動スプロケット８に向かうチェーン１０の移動路、つまり上方に向かうチェーン１０の移動路は、側面視して粗目スクリーン２と細目スクリーン３との間に位置しており、両スクリーンに沿って形成されている。駆動スプロケット８から従動スプロケット９へのチェーン１０の移動路、つまり下方に向かうチェーン１０の移動路は粗目スクリーン２よりも上流側に位置している。
【００１８】
チェーン１０の移動路は、図１および図３に示すように、ケーシング５の側板の内面側に設けたガイドレール１１によってガイドされる。なお、図１ではガイドレール１１を仮想線にて示してある。チェーン１０の連結軸には図３に示すようにガイドローラ１２が回転可能に取り付けられており、このガイドローラ１２をガイドレール１１の溝壁に当接させることでチェーン１０を所定の軌跡で移動させる。ガイドローラ１２はチェーン１０に間隔的に設けられる。
【００１９】
チェーン１０には、ブラケット１３を介してレーキ１４が所定間隔で取り付けられる。レーキ１４は略矩形の平板部材からなり、水路方向両端には粗目スクリーン２および細目スクリーン３の各目開部に挿入される歯１４Ａ、１４Ｂが形成されている。レーキ１４は、粗目スクリーン２と細目スクリーン３との間のチェーン１０の移動路に位置しているとき、歯１４Ａが粗目スクリーン２の目開部に裏面側から挿入して、粗目スクリーン２の表面のし渣を裏面側から掻き揚げ、歯１４Ｂが細目スクリーン３の目開部に表面側から挿入して、細目スクリーン３の表面のし渣を表面側から掻き揚げる。すなわち、本実施形態のレーキ１４は、粗目スクリーン２のし渣を裏面側から掻き揚げる粗目スクリーン用レーキと細目スクリーン２のし渣を表面側から掻き揚げる細目スクリーン用レーキとを一体にした部材として構成される。
【００２０】
細目スクリーン３に対しては表掻きであるため、細目スクリーン３に対する歯１４Ｂの挿入代は浅くて済み、歯１４Ｂと連結バー７との干渉を回避することは容易である。一方、粗目スクリーン２に対しては裏掻きとなることから、歯１４Ａの先端を粗目スクリーン３の表面から突出させる必要がある。つまり、歯１４Ａを粗目スクリーン２に対して貫通状態で移動させる必要があるために歯１４Ａが連結バー６と干渉しやすくなるが、本実施形態では前記したように粗目スクリーン２の下端を円弧状に屈曲形成してそこに連結バー６を配しているため、歯１４Ａは屈曲部の途中から粗目スクリーン３に挿入することになり、歯１４Ａが下端の連結バー６と干渉することはない。粗目スクリーン２の上端側については、図４に示すようにチェーン１０の移動路を粗目スクリーン２から遠ざけることにより、歯１４Ａを粗目スクリーン２の途中から抜くようにして歯１４Ａと連結バー６との干渉を回避している。
【００２１】
除塵機１は以上の構成からなり、図示しない駆動モータにより駆動スプロケット８が図１における反時計回りに回転するとチェーン１０が反時計回りに循環移動し、レーキ１４は、歯１４Ａが粗目スクリーン２の目開部に裏面側から挿入して、粗目スクリーン２の表面に捕捉されたし渣を裏面側から掻き揚げ、歯１４Ｂが細目スクリーン３の目開部に表面側から挿入して、細目スクリーン３の表面に捕捉されたし渣を表面側から掻き揚げる。掻き揚げられた細目スクリーン３、粗目スクリーンの各し渣はそれぞれケーシング５の上部に形成された第１し渣排出口５Ａ、第２し渣排出口５Ｂに排出される。
【００２２】
図４に示すように、粗目スクリーン２の上端においては歯１４Ａが途中から抜けるためにし渣の掻き残しが生ずることになるが、この掻き残しは粗目スクリーン２の略水平状の頂上部２Ｂにおいて生ずるため、順次掻き揚げられてくるし渣に押されることにより、または水流の勢いにより、掻き残しのし渣は容易に第２し渣排出口５Ｂに落下する。
【００２３】
「変形例」
図１に記載の除塵機１では、粗目スクリーン２のし渣を裏面側から掻き揚げる粗目スクリーン用レーキと細目スクリーン２のし渣を表面側から掻き揚げる細目スクリーン用レーキとが一体の部材（レーキ１４）から構成されるのに対し、図５に記載の除塵機１は、粗目スクリーン２のし渣を裏面側から掻き揚げる粗目スクリーン用レーキ１５と細目スクリーン２のし渣を表面側から掻き揚げる細目スクリーン用レーキ１６とが互いに別部材として構成される。この図５の除塵機１によっても、図１の除塵機１と同様のし渣の掻き揚げ作用が得られる。
【００２４】
以上のように、水路に設置される粗目スクリーン２と、この粗目スクリーン２の下流側に粗目スクリーン２と平行に設置される細目スクリーン３と、上方に向かう移動路が側面視して粗目スクリーン２と細目スクリーン３との間に位置するチェーン１０と、このチェーン１０に取り付けられ、粗目スクリーン２のし渣を裏面側から掻き揚げる粗目スクリーン用レーキおよび細目スクリーンのし渣を表面側から掻き揚げる細目スクリーン用レーキとを備える除塵機１とすれば、次のような効果が奏される。
（１）粗目スクリーン２の表面に捕捉されたし渣を粗目スクリーン用レーキ（図１のレーキ１４、図５の粗目スクリーン用レーキ１５）によって裏掻きすることにより、し渣は粗目スクリーン２の表面から部分的に突出した粗目スクリーン用レーキの歯の先端周りのみによって掻き揚げられることになり、粗目スクリーン用レーキ全体に対する布状、紐状のし渣のからまりを回避できる。
（２）粗目スクリーン用レーキおよび細目スクリーン用レーキを１つのチェーン１０に配することができるため、チェーン１０の駆動機構を複数設ける必要がなく、経済的な除塵機１となる。
【００２５】
また、図１のレーキ１４のように、粗目スクリーン用レーキおよび細目スクリーン用レーキを一体の部材として成形すれば、部材点数の低減が図れ、組み付け性に優れた除塵機１となる。
【００２６】
以上、本発明の好適な実施形態を説明したが、本発明は図面に記載したものに限定されることなく、その趣旨を逸脱しない範囲で様々な設計変更が可能である。
例えば実施形態ではレーキ１４を上流側に戻しているが、下流側に戻すようにしてもよい。この場合、粗目スクリーン２が水路の底部まで延びることになる。
【符号の説明】
【００２７】
１      除塵機
２      粗目スクリーン
３      細目スクリーン
１０      チェーン
１４      レーキ（粗目スクリーン用レーキと細目スクリーン用レーキとを一体にしたレーキ）
１５      粗目スクリーン用レーキ
１６      細目スクリーン用レーキ
【図１】
0005469512.tif 000002
【図２】
0005469512.tif 000003
【図３】
0005469512.tif 000004
【図４】
0005469512.tif 000005
【図５】
0005469512.tif 000006